(57)【要約】【課題】  特にケラチン質繊維、及び特にまつげや眉毛に化粧品を塗布する新規のアプリケータを提供する。【解決手段】  本発明は、化粧品を塗布するアプリケータを提供し、  ブラスチックス材料の支持体（１５）と；  支持体で担持された剛毛の少なくとも一つの束（２０）と；を備えたアプリケータ要素（５）を有し、  束（２０）が、支持体の長手方向にのびる剛毛の第１の列（５０）を画定する第１の端部を備え、束（２０）が、少なくとも部分的に支持体の外側にのびる剛毛の第２、第３の列（３０、４０）を画定する少なくとも二つの副束に第１の端部から分割されていることを特徴としている。【選択図】      図２
2004261602.tif 000002
【特許請求の範囲】
【請求項１】
化粧品を塗布するアプリケータであって、
ブラスチックス材料の支持体（１５）と；
支持体で担持された剛毛の少なくとも一つの束（２０）と；
を備えたアプリケータ要素（５）を有し、
上記束（２０）が、支持体の長手方向にのびる剛毛の第１の列（５０）を画定する第１の端部を備え、上記束（２０）が、少なくとも部分的に支持体の外側にのびる剛毛の第２、第３の列（３０、４０）を画定する少なくとも二つの副束に第１の端部から分割されていること
を特徴とするアプリケータ。
【請求項２】
支持体の外側にのびる剛毛の三つの列（３０、４０、５０）を備えていることを特徴とする請求項１記載のアプリケータ。
【請求項３】
第１の列（５０）が、第２、第３の列（３０、４０）の剛毛の総数にほぼ等しい多数の剛毛を備えていることを特徴とする請求項１又は２記載のアプリケータ。
【請求項４】
剛毛の第２、第３の列（３０、４０）が、それぞれの別個のオリフィス（３２、４２）を介して支持体から出て行くふさのそれぞれの連続体から成ることを特徴とする請求項１〜３のいずれか一項記載のアプリケータ。
【請求項５】
第１の列（５０）が剛毛のほぼ連続したシートから成ることを特徴とする請求項１〜４のいずれか一項記載のアプリケータ。
【請求項６】
剛毛の束（２０）が、支持体（１５）の内側で第２、第３の列（３０、４０）を形成するように分割されていることを特徴とする請求項１〜５のいずれか一項記載のアプリケータ。
【請求項７】
剛毛の束（２０）が、支持体（１５）の外側で第２、第３の列（３０、４０）を形成するように分割されていることを特徴とする請求項１〜５のいずれか一項記載のアプリケータ。
【請求項８】
剛毛の第２、第３の列（３０、４０）が、支持体（１５）の長手方向軸線（Ｘ）を含む分離平面（Ｓ）に対して支持体（１５）の一側からのび、第１の列（５０）が反対側からのびていることを特徴とする請求項１〜７のいずれか一項記載のアプリケータ。
【請求項９】
剛毛が、剛毛上に支持材料をオーバーモールドすることにより支持体（１５）に保持されることを特徴とする請求項１〜８のいずれか一項記載のアプリケータ。
【請求項１０】
剛毛が材料の局部溶融によって支持体（１５）に保持されることを特徴とする請求項１〜９のいずれか一項記載のアプリケータ。
【請求項１１】
支持体（１５）に、少なくとも一列の歯（６０）が形成されていることを特徴とする請求項１〜１０のいずれか一項記載のアプリケータ。
【請求項１２】
歯の列（６０）が剛毛の第２、第３の列（３０、４０）の間にのびていることを特徴とする請求項１１記載のアプリケータ。
【請求項１３】
支持体（１５）の長手方向軸線（Ｘ）に垂直な平面における支持体（１５）の主要直径が５ｍｍ以下か又はそれに等しいことを特徴とする請求項１〜１２のいずれか一項記載のアプリケータ。
【請求項１４】
第２の列（３０）が、支持体の軸線（Ｘ）に沿って第３の列（４０）の剛毛のふさ（４３）と同じレベルに配置した剛毛のふさ（３３）を備えていることを特徴とする請求項１〜１３のいずれか一項記載のアプリケータ。
【請求項１５】
第２の列（３０）が、支持体の軸線（Ｘ）に沿って第３の列（４０）の剛毛のふさに対して軸線方向にオフセットした剛毛のふさを備えていることを特徴とする請求項１〜１３のいずれか一項記載のアプリケータ。
【請求項１６】
剛毛の束（２０）を分割して得た剛毛のふさが、支持体（１５）の二つの対向面（３１、４１）にそれぞれ位置した開口を介して出て行くことを特徴とする請求項１〜１５のいずれか一項記載のアプリケータ。
【請求項１７】
剛毛の束（２０）を分割して得た剛毛のふさが、支持体（１５）の同じ面に位置した開口を介して出て行くことを特徴とする請求項１〜１５のいずれか一項記載のアプリケータ。
【請求項１８】
支持体（１５）の長手方向軸線（Ｘ）が直線状であることを特徴とする請求項１〜１７のいずれか一項記載のアプリケータ。
【請求項１９】
支持体（１５）の長手方向軸線（Ｘ）が曲線状であることを特徴とする請求項１〜１７のいずれか一項記載のアプリケータ。
【請求項２０】
少なくとも一つの列の剛毛の見える長さが、支持体（１５）の長手方向軸線（Ｘ）に沿って変化することを特徴とする請求項１〜１９のいずれか一項記載のアプリケータ。
【請求項２１】
オリフィスを有し、該オリフィスを介して剛毛が支持体から離れ、オリフィスが支持体の長手方向軸線に垂直な軸線をもつことを特徴とする請求項１〜２０のいずれか一項記載のアプリケータ。
【請求項２２】
オリフィスを有し、該オリフィスを介して剛毛が支持体から離れ、オリフィスが支持体（１５）の長手方向軸線（Ｘ）に対して斜めに向いた軸線をもつことを特徴とする請求項１〜２０のいずれか一項記載のアプリケータ。
【請求項２３】
支持材料が、堅固な又は半堅固なプラスチックス材料或いは重合体の少なくとも一つであることを特徴とする請求項１〜２２のいずれか一項記載のアプリケータ。
【請求項２４】
アプリケータ要素がステム（４）の一端に固定され、ステム（４）の他端が容器（２）を閉じるキャップを構成するハンドル部材（６）に固定されていることを特徴とする請求項１〜２３のいずれか一項記載のアプリケータ。
【請求項２５】
支持体（１５）がステム（４）に固定されていることを特徴とする請求項２４記載のアプリケータ。
【請求項２６】
支持体（１５）がステム（４）と一体に構成されることを特徴とする請求項２４記載のアプリケータ。
【請求項２７】
まつげ又は眉毛に製品を塗布するために構成されていることを特徴とする請求項１〜２６のいずれか一項記載のアプリケータ。
【請求項２８】
請求項１〜２７のいずれか一項記載のアプリケータを有することを特徴とする包装及び塗布装置。
【請求項２９】
塗布すべき製品を収容する容器（２）と、アプリケータ要素（５）を容器から離す際にアプリケータ要素（５）をこするワイパー部材（８）とを有することを特徴とする請求項２８記載の装置。
【発明の詳細な説明】
【技術分野】
【０００１】
本発明は、ケアー製品を含む化粧品用のアプリケータに関するものであり、一層特に、ケラチン質繊維、特にまつげや眉毛に物質を塗布するアプリケータに関する。
【背景技術】
【０００２】
まつげや眉毛に化粧を施すのに用いられてきた従来のブラシは、二つの互いに捩った金属ストランドから成るコアを有し、捩った金属ストランド間にブラシの剛毛が捕捉保持されている。このようなブラシは、例えば塗布に先立って物質を改質するために、マイクロ波オーブンに通すには適さない。さらに、ある構成では、剛毛は、まつげに物質を伸ばすために適するのにはあまりにも柔軟すぎる。
【０００３】
また、プラスチックス材料を成形することにより、まつげや眉毛に化粧を施すくしを作ることは公知である。プラスチックス材料を使用することでくしをマイクロ波オーブンに入れるのに適したものとすることができる。さらに、くしに、ブラシの剛毛より硬い歯を設けることができ、従って種々の配合物を用いることができる。とは言っても、歯が弾性に欠けると、塗布中の心地良さの欠如につながり得る。
【０００４】
特許文献１には、捩られないコアを備え、多数の穴を備えた支持体を有し、剛毛を穴に挿入した後、支持体の穴にクリープを施すことで、穴を変形することにより剛毛を保持するようにしたアプリケータが開示されている。
【特許文献１】欧州特許出願ＥＰ１１５５６３７
【０００５】
非金属支持体及び支持体に固定した剛毛を有するアプリケータの製造をさらに容易にする必要がある。
【発明の開示】
【発明が解決しようとする課題】
【０００６】
本発明は、特にケラチン質繊維、及び特にまつげや眉毛に化粧品を塗布する新規のアプリケータを提供することにある。
【課題を解決するための手段】
【０００７】
特に一実施の形態において、本発明の新規のアプリケータは、
ブラスチックス材料の支持体と；
支持体で担持された剛毛の少なくとも一つの束と；
を備えたアプリケータ要素を有し、該束の第１の端部が、支持体の長手方向にのびる剛毛の第１の列を画定し、該束が、少なくとも部分的に支持体の外側にのびる剛毛の第２、第３の列を画定する少なくとも二つの副束に第１の端部から分割されていることを特徴としている。
【０００８】
剛毛の束を分割して剛毛の多数の列を形成することにより、特に剛毛に支持材料をオーバーモールドすることでアプリケータを工業的に低コストで容易に製造することができるようになる。
【０００９】
本発明はまた、使用するのに簡単でしかも心地良く、処理されることなる繊維に物質を十分に拡げることができ、繊維を相当に長くしたりカールさせたりするアプリケータを提供できるようにする。
【００１０】
本発明に従って構成したアプリケータ要素は、適当な場合に、物質を加熱するためマイクロ波オーブンを用いることができ、しかも特に使用の心地良さに関してマスカラブラシの利点をもつ。
【００１１】
アプリケータは、それに固定した剛毛すなわちアプリケータの製造プロセスより前の段階で別個に作られ、支持体の製造中又は支持体の製造後にアプリケータに組み込まれる剛毛を担持し得る。
【００１２】
剛毛の第１の列は、第２、第３の列の剛毛の総数にほぼ等しい多数の剛毛を備え得る。剛毛の第２、第３の列は、任意には実質的に同じ数の剛毛を備え得る。
【００１３】
剛毛の第１の列は支持体の外側へのび得るが、しかし変形例では剛毛の第１の列は支持体の外側へ突出する必要がない。
【００１４】
剛毛の第２、第３の列は、それぞれの別個のオリフィスを介して支持体から出て行くふさのそれぞれの連続体を構成し得る。
【００１５】
第１の列は、剛毛のほぼ連続したシート又は別個のオリフィスを介して支持体から出て行くふさの連続体から成り得る。
【００１６】
剛毛のふさは、２〜２００本の剛毛、例えば好ましくは４〜１００本の剛毛、一層特に５〜５０本の剛毛で構成され得る。
【００１７】
剛毛の第２、第３の列を形成するために、剛毛の束は、支持体の内側又は外側で分割され得る。
【００１８】
剛毛の第２、第３の列は、支持体の長手方向軸線を含む分離平面、特に中間平面に垂直な平面に対して支持体の同じ側からのび得、第１の列は反対側からのびている。
【００１９】
剛毛は、剛毛上に支持材料をオーバーモールドすることにより支持体に保持され得る。例えば、剛毛は材料の局部溶融によって支持体に保持され得る。
【００２０】
剛毛は、支持体を構成する材料と同じ又は異なる材料で構成され得る。
【００２１】
支持体は、種々の形態に、特に少なくとも一列の歯を備えて構成され得る。歯は、支持体と同じ材料で構成され得、又は変形例では歯は他の材料を例えば二重射出成形することによって構成され得る。歯は特に、剛毛を担持する支持体の部分を構成している材料より可撓性の高い材料で構成され得る。
【００２２】
支持体の長手方向軸線に垂直な平面において、支持体の主要直径は例えば５ｍｍ以下か又はそれに等しくできる。
【００２３】
剛毛の第２、第３の列の各々が剛毛のふさの連続体から成る場合には、第２の列における剛毛のふさは、支持体の軸線に沿って第３の列の剛毛のふさとほぼ同じレベルに配置され得る。
【００２４】
変形例では、第２の列における剛毛のふさは、第３の列における剛毛のふさに対して軸線方向にオフセットされ得る。アプリケータは、二つの発散する方向に沿ってのびる剛毛のふさの連続体から成り得る。
【００２５】
アプリケータは、支持体の二つの対向面又は変形例では同じ面にそれぞれ位置した開口を介して開放する剛毛の束を分割して得た剛毛のふさを備え得、開口は例えば整列されるか又は段付き形態で配置され得る。
【００２６】
支持体が歯を備えている場合には、歯は剛毛の二つの列間、例えば特に第２、第３の列間にのびる少なくとも一つの列に配置され得る。
【００２７】
支持体の長手方向軸線は直線状であることができ、又は変形例では支持体の長手方向軸線は曲線状であることができる。特に支持体の長手方向軸線は、実質的にまつげの付け根でまぶたの半径に合致した円弧の部分の形態であり得る。
【００２８】
少なくとも一つの列の剛毛の見える長さは、支持体の長手方向軸線に沿って変化し得、特に単一極値例えば最大値又は最小値を通って連続して変化し得、又は周期的に変化して、支持体を側部から観察すると剛毛の自由端で画定された包囲面が支持体の長手方向軸線に沿って波形を成すようにされる。
【００２９】
アプリケータはオリフィスを有し得、該オリフィスを介して剛毛は支持体から離れ、オリフィスは支持体の長手方向軸線に垂直な軸線をもつ。
【００３０】
変形例では、オリフィスは、支持体の長手方向軸線に対して斜めに向いた、例えば支持体を側部から観察した時剛毛が交差するように遠い端部及び近い端部に向って交互に向いた軸線をもち得る。
【００３１】
支持材料の材料は、堅固な又は半堅固なプラスチックス材料或いは重合体であり得る。
【００３２】
別の特徴において、本発明は、
少なくとも三列の剛毛と；
オーバーモールドされ、剛毛を担持する支持体と；
を有することを特徴とするアプリケータを提供する。
【００３３】
本発明はまた、上記の実施の形態の特徴の少なくとも一つをもつアプリケータを有する包装及び塗布装置を提供する。
【００３４】
本装置は、塗布すべき製品を収容する容器と、アプリケータ要素を容器から離す際にアプリケータ要素をこするワイパー部材とを有し得る。アプリケータ要素は、ステムの一端に固定され得、他端は容器を閉じるキャップを構成するハンドル部材に固定される。
【発明を実施するための最良の形態】
【００３５】
本発明は、本発明を限定しない実施の形態の以下の詳細な説明及び添付図面からさらに良く理解され得る。
【００３６】
図１に示す包装及び塗布装置１はまつげや眉毛に塗布する物質Ｐ例えばマスカラを収容した容器２及びアプリケータ３を有し、アプリケータ３はステム４を備え、ステム４は底端部にアプリケータ要素５を備え、また反対端部にはハンドル部材６を備え、このハンドル部材６は容器２を閉じる働きもする。容器２の首部７には外側にねじが形成され、ハンドル部材６をねじ込めるようにしている。
【００３７】
物質Ｐは、まつげを色付けしたり、及び（又は）まつげを長くしたり、及び（又は）まつげをカールするようにされ得る。物質Ｐはまたトリートメント効果を有し得る。
【００３８】
ワイパー部材８は、ステム４及びアプリケータ要素５が容器２から抜かれる際にそれらをこするように首部７の内側に固定される。ワイパー部材８は、例えばステム４の直径にほぼ相応した直径の円形オリフィスを画定する可撓性リップ９を備えている。
【００３９】
当然、本発明は、特殊なワイパー部材を使用することに限定されず、他のワイパー部材、例えば発泡体のブロックから成る及び（又は）一つ以上の任意にフロック加工したスロットを画定するワイパー部材を用いることができる。
【００４０】
図示例では、ステム４は直線状であるが、しかし本発明の範囲を逸脱することなく湾曲させることもできる。
【００４１】
さらに、ステム４はハンドル部材６に固定されて示されているが、しかし、例えば関節接続、特にボール・ソケット継手によってハンドル部材６に対して可動にできる。
【００４２】
アプリケータ要素５はプラスチックス材料から成る支持体１５を有し、支持体１５は、図示例では直線状であり、そしてステム４の長手方向軸線に一致する長手方向軸線Ｘに沿ってのびている。
【００４３】
支持体１５は剛毛の束２０を有し、剛毛は、記載した例では、第１の列５０の形態で支持体１５の一側から出て、二つの部分に分割され、支持体１５の反対側から第２、第３の列３０、４０の形態で出てくる。
【００４４】
記載した例では、支持体１５は剛毛の束２０上にオーバーモールドされるが、しかし、変形例では、支持体１５は別個に構成され得、そしてそこに剛毛が配置されて例えば局部溶融材料により支持体１５に組立ることができる。
【００４５】
記載した例では、列３０、４０は、支持体１５の二つの反対面３１、４１にそれぞれ形成した開口を介して開放されている。図２に見ることができるように、列３０、４０は、軸線Ｘを含む分離平面Ｓの同じ側に位置し、第１の列５０は反対側に位置される。
【００４６】
剛毛の列３０、４０の各々は支持体１５から軸線Ｘに平行にのびる長方形の単一開口を介して、又は記載した例では、各々剛毛のふさが現れ得るそれぞれの開口３２、４２の連続体を介してのびることができる。
【００４７】
記載した例において各列３０、４０における剛毛の数は、列５０における剛毛の数の半分に相応するが、しかし、アプリケータ要素は本発明の範囲を逸脱せずに異なって構成され得、特に列３０、４０の一方は他方の列より相当多くの剛毛を有することができ、言い換えれば、剛毛の束は５０／５０以外の比率で分割され得る。
【００４８】
図示例では、第１の列５０の剛毛はゼロでない長さのものであるが、しかし、列５０の剛毛が図３に示すように実質的に長さゼロであることは本発明の範囲内であり、この列５０の剛毛は、例えば支持体１５を成形した後、削り落とされる。第１の列５０の剛毛は支持体の外側へ一様にのびる必要がない。
【００４９】
支持体１５は図１及び図２に示す形態と異なる形態に構成することができ、特に、図４及び図５に示すように、剛毛の列３０、４０間にのびる歯６０の少なくとも一つの列を備えることができる。
【００５０】
図４に示すように、支持体１５はステム４に挿入するため一端に端部片１６を備えることができる。変形例では、アプリケータは、その形態及び剛毛の設け方に関係なく、成形材料によってステム４と一体に構成され得る。
【００５１】
剛毛の束２０は図２、図３及び図５に示すように支持体の内側で分割され得るか、又は図６に示すように支持体１５の外側特に外側表面に近接して分割され得る。
【００５２】
図７の例は、第１の列５０における剛毛の長さがほぼゼロである点で図６のものと異なっている。
【００５３】
また図７において見ることができるように、支持体は、図２及び図３に示すもの以外の種々の断面形状をもつことができ、特に、断面が例えば実質的に円形であることができる。
【００５４】
図８の例では、列３０、４０の剛毛は支持体１５の外側で統合している。
【００５５】
列３０、４０は分散平面Ｙ、Ｚにのびることができ、これらの平面は、軸線が直線状である場合には長手方向軸線Ｘに平行であり得る。
【００５６】
図２に見られ得るように、平面Ｙ、Ｚは支持体１５に対して対称の中間平面Ｍのまわりで対称であり得る。軸線Ｘは上記中間平面Ｍ内に含まれ得る。
【００５７】
変形例では、平面Ｙ、Ｚは図９に示すように、支持体１５の中間平面Ｍのまわりに対称に配置される必要がない。
【００５８】
平面Ｙ、Ｚ間の角度■は例えば３°〜９０°の範囲内であり得、例えば４０°近くにできる。
【００５９】
上記の例では、アプリケータ要素５は剛毛の三つの列３０、４０、５０を備えているが、しかし、アプリケータ要素が剛毛の三つ以上の列、例えば四列の剛毛を備えることも本発明の範囲内である。
【００６０】
例として、図１０には、束２０に対して二つの列３０、４０をまた束２０’に対して二つの列３０’、４０’を形成するように分割される剛毛の二つの束２０、２０’を有するアプリケータ要素が示されている。列３０、３０’は、図示したように列４０、４０’と同様に単一シート内に一体にされ得る。適当な場合には、支持体１５は一つの列の歯６０を備えることができる。
【００６１】
剛毛の列３０、４０、５０は、互いにふさにまとめることができ、又はほぼ連続したシートにのびることができる。
【００６２】
剛毛の列３０、４０が互いにふさにまとめられる場合、列３０、４０の一方の各ふさ３３、４３は、図４に示すように、軸線Ｘに沿ってオフセットすることなしに、他方の列におけるふさとほぼ同じレベルに軸線Ｘに沿って配置され得る。
【００６３】
ふさ３３、４３はまた、図１１に示すように軸線Ｘに沿ってオフセットされ得る。図１１には支持体１５は示されていない。変形例においては、図１２に示すように、列３０、４０の剛毛は、軸線Ｘに沿って実質的に連続したシートの形状にのびることができる。
【００６４】
適当な場合には、ふさ３３、４３はまた、図１３に示すように、実質的に整列したオリフィス３２、４２を通ってのびることができ、これらのオリフィスの軸線は例えば軸線Ｘに垂直である。
【００６５】
列３０、４０の剛毛は、長手方向軸線Ｘに実質的に垂直にのびることができる。
【００６６】
変形例では、図１４に示すように、剛毛のふさ３３、４３及び相応したオリフィス３２、４２の軸線はそれぞれアプリケータ要素５の近い端部及び遠い端部に向かって傾斜され、アプリケータ要素を側部から観察した時に剛毛のふさ３３、４３が交差するようにできる。
【００６７】
アプリケータ要素５の剛毛の自由端で画定した包囲表面を、処理すべき領域及び得ることが望ましい効果の関数として種々の形状にすることができる。
【００６８】
例として、アプリケータ要素５の剛毛は、図１５に示すように、アプリケータ要素を側部から観察した時に列５０の剛毛の端部が外側へ凹状の線Ｌに沿ってのびるようにして機械加工され得る。例として、線Ｌの曲率は実質的にまぶたの曲率に対応し得る。
【００６９】
また、図１６に示すように、例えばまつげや眉毛をより良好にとかすために、波形を形成するようにしてブラシの外側へのびる剛毛の列を機械加工することもできる。
【００７０】
支持体１５は、直線状でない長手方向軸線Ｘ、例えば図１７に示すように曲線状である軸線を備えることができ、列３０、４０の剛毛は例えばアプリケータ要素５の凹面又は凸面状にのびる。
【００７１】
支持体１５が歯を備える場合には、歯は、図１８に示すように、軸線Ｘに沿って剛毛のふさ３３、４３と交互に配列され得る。
【００７２】
全ての種類の剛毛を使用することができる。剛毛は天然又は合成のものであることができ、特にポリエチレン、ポリプロピレン、エチレン／プロピレン共重合体、ポリアミド、特に６−６、６−１０、６−１１、又は６−１２ポリアミド、ポリエステル、塩化ポリビニル、ポリテトラフルオロエチレン（テフロン（登録商標））、ポリエチレンテレフタレート、又は熱可塑性エラストマーの剛毛から選択される。
【００７３】
支持体は特に、ポリエチレン、ポリプロピレン、又はエラストマーで構成され得る。
【００７４】
種々の横断面形の剛毛を用いることができる。
【００７５】
特に、図１９〜図３６に概略的に示す形状、例えば図１９に示すように平坦部をもつ円形形状、図２０に示すように平坦な形状、例えば図２１に示すように十字形の又は図２２に示すように三つの分枝部をもつ星型形状、図２３に示すようにＵ字形状、図２４に示すようにＨ字形状、図２５に示すようにＴ字形状、又は図２６に示すようにＶ字形状のうちの一つの横断面形状の剛毛を用いることができる。剛毛は例えば図２７に示すように円形形状の又は図２８に示すようにプリズム形特に断面矩形の中空であることができる。剛毛は、例えば図２９に示すように雪片形の分枝形を形成することができる。剛毛は、断面プリズム形、例えば図３０に示すように三角形、図３１に示すように方形、図３２に示すように六角形、又は長方形特に図３３に示すようにレンズ形状、或いは図３４に示すように砂時計形状であることができる。
【００７６】
また、図３５に示すように、互いにヒンジ接続される部分を備えた剛毛を用いることもできる。
【００７７】
また、図３６に示すように、少なくとも一つの細い溝６５を備えた剛毛を用いることもできる。
【００７８】
使用する剛毛は任意に処理され得る。特に、剛毛は、図３７に示すように、端部に玉６６を又は図３８に示すようにフォーク６７を形成するために処理され得る。
【００７９】
図３９に示すようにフロック加工される剛毛、又は例えば図４０に示すように剛毛の表面に微細模様を形成するため又は磁気性、制菌性、改善した摺動性、又は他の性質を与えるため粒子６８を充填したプラスチックス材料を押出すことにより形成した剛毛を用いることができる。
【００８０】
剛毛はまた、図４１に示すように、波形剛毛でもよい。又は剛毛は図４２に示すように湾曲形状にするため熱処理した剛毛でもよい。
【００８１】
アプリケータ要素５の剛毛は全て同じ種類、同じ長さのものである必要がない。
【００８２】
有利には、剛毛は、約６／１００ｍｍ〜約３０／１００ｍｍの範囲及び好ましくは８／１００ｍｍ〜２０／１００ｍｍの範囲の直径の円形横断面から選択される。
【００８３】
剛毛の見える長さ、すなわち支持体１５の表面と剛毛の自由端との間にのびる長さは約０．５ｍｍ〜約２０ｍｍの範囲及び好ましくは１ｍｍ〜１０ｍｍの範囲であり得る。
【００８４】
特許請求の範囲を含めて本明細書においては、用語“から成る又はを有する又はを備える”は特に断らない限り“少なくとも一つから成る又はを有する又はを備える”と同義であると理解されるべきである。
【図面の簡単な説明】
【００８５】
【図１】本発明に従って構成した包装及び塗布装置の実施の形態を示す概略軸方向断面図。
【図２】図１の装置のＩＩ−ＩＩに沿った概略部分断面図。
【図３】本発明の変形実施の形態を示す図２と同様な図。
【図４】本発明の別の変形実施の形態によるアプリケータ要素を分離して示す概略斜視図。
【図５】図４のＶ−Ｖに沿った断面図。
【図６】他の変形実施の形態を示す、図２と同様な図。
【図７】他の変形実施の形態を示す、図２と同様な図。
【図８】他の変形実施の形態を示す、図２と同様な図。
【図９】他の変形実施の形態を示す、図２と同様な図。
【図１０】他の変形実施の形態を示す、図２と同様な図。
【図１１】剛毛の束を分割する仕方を示す概略図。
【図１２】剛毛の束を分割する別の仕方を示す概略図。
【図１３】本発明の別の変形実施の形態によるアプリケータ要素の概略部分平面図。
【図１４】本発明に従って構成した他のアプリケータを示す概略部分側面図。
【図１５】本発明に従って構成した他のアプリケータを示す概略部分側面図。
【図１６】本発明に従って構成した他のアプリケータを示す概略部分側面図。
【図１７】本発明に従って構成した他のアプリケータを示す概略部分側面図。
【図１８】本発明に従って構成した他のアプリケータを示す概略部分側面図。
【図１９】使用され得る剛毛の断面の一例を示す概略横断面図。
【図２０】使用され得る剛毛の断面の別の例を示す概略横断面図。
【図２１】使用され得る剛毛の断面の別の例を示す概略横断面図。
【図２２】使用され得る剛毛の断面の別の例を示す概略横断面図。
【図２３】使用され得る剛毛の断面の別の例を示す概略横断面図。
【図２４】使用され得る剛毛の断面の別の例を示す概略横断面図。
【図２５】使用され得る剛毛の断面の別の例を示す概略横断面図。
【図２６】使用され得る剛毛の断面の別の例を示す概略横断面図。
【図２７】使用され得る剛毛の断面の別の例を示す概略横断面図。
【図２８】使用され得る剛毛の断面の別の例を示す概略横断面図。
【図２９】使用され得る剛毛の断面の別の例を示す概略横断面図。
【図３０】使用され得る剛毛の断面の別の例を示す概略横断面図。
【図３１】使用され得る剛毛の断面の別の例を示す概略横断面図。
【図３２】使用され得る剛毛の断面の別の例を示す概略横断面図。
【図３３】使用され得る剛毛の断面の別の例を示す概略横断面図。
【図３４】使用され得る剛毛の断面の別の例を示す概略横断面図。
【図３５】使用され得る剛毛の断面の別の例を示す概略横断面図。
【図３６】使用され得る剛毛の断面の別の例を示す概略横断面図。
【図３７】剛毛に使用され得る構造及び表面状態の一例を示す図。
【図３８】剛毛に使用され得る構造及び表面状態の別の例を示す図。
【図３９】剛毛に使用され得る構造及び表面状態の別の例を示す図。
【図４０】剛毛に使用され得る構造及び表面状態の別の例を示す図。
【図４１】波形剛毛を示す図。
【図４２】熱間で湾曲させた剛毛を示す図。
【符号の説明】
【００８６】
１：包装及び塗布装置
２：容器
３：アプリケータ
４：ステム
５：アプリケータ要素
６：ハンドル部材
７：容器２の首部
８：ワイパー部材
９：可撓性リップ
１５：支持体
１６：端部片
２０：剛毛の束
３０：第２の列
３１：反対面
３２：開口（オリフィス）
３３：ふさ
４０：第３の列
４１：反対面
４２：開口（オリフィス）
４３：ふさ
５０：第１の列
６０：歯
６５：細い溝
６６：玉
６７：フォーク
６８：粒子
【図１】
2004261602.tif 000003
【図２】
2004261602.tif 000004
【図３】
2004261602.tif 000005
【図４】
2004261602.tif 000006
【図５】
2004261602.tif 000007
【図６】
2004261602.tif 000008
【図７】
2004261602.tif 000009
【図８】
2004261602.tif 000010
【図９】
2004261602.tif 000011
【図１０】
2004261602.tif 000012
【図１１】
2004261602.tif 000013
【図１２】
2004261602.tif 000014
【図１３】
2004261602.tif 000015
【図１４】
2004261602.tif 000016
【図１５】
2004261602.tif 000017
【図１６】
2004261602.tif 000018
【図１７】
2004261602.tif 000019
【図１８】
2004261602.tif 000020
【図１９】
2004261602.tif 000021
【図２０】
2004261602.tif 000022
【図２１】
2004261602.tif 000023
【図２２】
2004261602.tif 000024
【図２３】
2004261602.tif 000025
【図２４】
2004261602.tif 000026
【図２５】
2004261602.tif 000027
【図２６】
2004261602.tif 000028
【図２７】
2004261602.tif 000029
【図２８】
2004261602.tif 000030
【図２９】
2004261602.tif 000031
【図３０】
2004261602.tif 000032
【図３１】
2004261602.tif 000033
【図３２】
2004261602.tif 000034
【図３３】
2004261602.tif 000035
【図３４】
2004261602.tif 000036
【図３５】
2004261602.tif 000037
【図３６】
2004261602.tif 000038
【図３７】
2004261602.tif 000039
【図３８】
2004261602.tif 000040
【図３９】
2004261602.tif 000041
【図４０】
2004261602.tif 000042
【図４１】
2004261602.tif 000043
【図４２】
2004261602.tif 000044
【外国語明細書】
2004261602.tif 000045
2004261602.tif 000046
2004261602.tif 000047
2004261602.tif 000048
2004261602.tif 000049
2004261602.tif 000050
2004261602.tif 000051
2004261602.tif 000052
2004261602.tif 000053
2004261602.tif 000054
2004261602.tif 000055
2004261602.tif 000056
2004261602.tif 000057
2004261602.tif 000058
2004261602.tif 000059
2004261602.tif 000060
2004261602.tif 000061
2004261602.tif 000062
2004261602.tif 000063
2004261602.tif 000064
2004261602.tif 000065
2004261602.tif 000066
2004261602.tif 000067